(57)【要約】【課題】目視することなく新着情報の有無を確認できる電子機器を提供する。【解決手段】  電子機器は、筐体と、前記筐体に取り付けられるディスプレイパネルと、前記ディスプレイパネルの表示面側に配設されるタッチパネルと、前記筐体、又は、前記タッチパネルに操作入力を行う操作面に振動を発生させる振動素子と、前記ディスプレイパネルが非表示の状態、又は、スリープモードの状態で、前記タッチパネルへの操作入力の内容を判定する操作判定部と、前記操作判定部によって新着情報確認用の所定の操作入力が行われたと判定されると、所定の新着情報があるかどうかを判定する新着判定部と、前記新着判定部によって前記所定の新着情報があると判定されると、前記振動素子を所定のパターンで駆動する駆動制御部とを含む。【選択図】図６
2015207242.tif 000002
【特許請求の範囲】
【請求項１】
筐体と、
前記筐体に取り付けられるディスプレイパネルと、
前記ディスプレイパネルの表示面側に配設されるタッチパネルと、
前記筐体、又は、前記タッチパネルに操作入力を行う操作面に振動を発生させる振動素子と、
前記ディスプレイパネルが非表示の状態、又は、スリープモードの状態で、前記タッチパネルへの操作入力の内容を判定する操作判定部と、
前記操作判定部によって新着情報確認用の所定の操作入力が行われたと判定されると、所定の新着情報があるかどうかを判定する新着判定部と、
前記新着判定部によって前記所定の新着情報があると判定されると、前記振動素子を所定のパターンで駆動する駆動制御部と
を含む、電子機器。
【請求項２】
前記振動素子は、前記タッチパネルの前記操作面に振動を発生させる振動素子であり、
前記駆動制御部は、前記操作面に超音波帯の固有振動を発生させる駆動信号で前記振動素子を駆動する、請求項１記載の電子機器。
【請求項３】
前記駆動信号は、一定の周波数と一定の位相で前記操作面に超音波帯の固有振動を発生させる駆動信号である、請求項２記載の電子機器。
【請求項４】
前記振動素子は、前記筐体、又は、前記タッチパネルに操作入力を行う操作面に可聴域の周波数の振動を発生させる振動素子である、請求項１記載の電子機器。
【請求項５】
筐体と、
前記筐体に取り付けられるディスプレイパネルと、
前記筐体又は前記ディスプレイパネルに設けられるボタン式の操作部と、
前記筐体、又は、前記ディスプレイパネルに振動を発生させる振動素子と、
前記ディスプレイパネルが非表示の状態、又は、スリープモードの状態で、前記操作部への操作入力の内容を判定する操作判定部と、
前記操作判定部によって新着情報確認用の所定の操作入力が行われたと判定されると、所定の新着情報があるかどうかを判定する新着判定部と、
前記新着判定部によって前記所定の新着情報があると判定されると、前記振動素子を所定のパターンで駆動する駆動制御部と
を含む、電子機器。
【請求項６】
前記振動素子は、前記筐体に可聴域の周波数の振動を発生させる振動素子である、請求項５記載の電子機器。
【請求項７】
指紋認証用の検出部と、
前記指紋認証用の検出部によって検出される指紋の認証を行う指紋認証判定部と
をさらに含み、
前記駆動制御部は、前記新着判定部によって前記所定の新着情報があると判定され、かつ、前記指紋認証判定部によって指紋の認証が成立した場合に、前記振動素子を所定のパターンで駆動する、請求項１乃至６のいずれか一項記載の電子機器。
【請求項８】
前記駆動制御部によって前記振動素子を所定のパターンで駆動された後に、着信音出力用の操作入力を受け付ける入力受付部と、
前記入力受付部によって前記着信音出力用の操作入力が受け付けられると、所定時間経過後に着信音の出力を行う、又は、前記駆動制御部に前記振動素子を駆動させる、着信制御部と
をさらに含む、請求項１乃至７のいずれか一項記載の電子機器。
【請求項９】
前記入力受付部は、加速度センサであり、
前記着信制御部は、前記加速度センサによって前記着信音出力用の操作入力が受け付けられると、所定時間経過後に着信音の出力を行う、又は、前記駆動制御部に前記振動素子を駆動させる、請求項８記載の電子機器。
【発明の詳細な説明】
【技術分野】
【０００１】
本発明は、電子機器に関する。
【背景技術】
【０００２】
従来より、メッセージデータを処理するメッセージデータ処理手段を備えた携帯通信端末であって、前記メッセージデータを受信する受信手段と、前記受信手段で前記メッセージデータを受信した場合に、前記メッセージデータ処理手段の動作を禁止させる動作禁止手段と、を備えたことを特徴とする携帯通信端末がある（例えば、特許文献１参照）。
【先行技術文献】
【特許文献】
【０００３】
【特許文献１】特開２００７−１８０７４２号公報
【発明の概要】
【発明が解決しようとする課題】
【０００４】
上述の従来の携帯通信端末は、利用者以外の他人にメッセージ（電子メールまたはショートメッセージ）を見られることを防止している。
【０００５】
しかしながら、利用者がメッセージの有無を確認するには、携帯通信端末の画面、又は、画面以外のランプ等を視認する必要がある。すなわち、従来の携帯通信端末では、利用者が目視でメッセージの有無を確認しないと、メッセージの有無を確認することができない。
【０００６】
そこで、目視することなく新着情報の有無を確認できる電子機器を提供することを目的とする。
【課題を解決するための手段】
【０００７】
本発明の実施の形態の電子機器は、筐体と、前記筐体に取り付けられるディスプレイパネルと、前記ディスプレイパネルの表示面側に配設されるタッチパネルと、前記筐体、又は、前記タッチパネルに操作入力を行う操作面に振動を発生させる振動素子と、前記ディスプレイパネルが非表示の状態、又は、スリープモードの状態で、前記タッチパネルへの操作入力の内容を判定する操作判定部と、前記操作判定部によって新着情報確認用の所定の操作入力が行われたと判定されると、所定の新着情報があるかどうかを判定する新着判定部と、前記新着判定部によって前記所定の新着情報があると判定されると、前記振動素子を所定のパターンで駆動する駆動制御部とを含む。
【発明の効果】
【０００８】
目視することなく新着情報の有無を確認できる電子機器を提供することができる。
【図面の簡単な説明】
【０００９】
【図１】実施の形態の電子機器１００を示す斜視図である。
【図２】実施の形態の電子機器１００を示す平面図である。
【図３】図２に示す電子機器１００のＡ−Ａ矢視断面を示す図である。
【図４】超音波帯の固有振動によってトップパネル１２０に生じる定在波のうち、トップパネル１２０の短辺に平行に形成される波頭を示す図である。
【図５】電子機器１００のトップパネル１２０に生じさせる超音波帯の固有振動により、操作入力を行う指先に掛かる動摩擦力が変化する様子を説明する図である。
【図６】実施の形態の電子機器１００の構成を示す図である。
【図７】新着情報がある場合に電子機器１００が振動素子１４０Ａを駆動する駆動波形を示す図である。
【図８】実施の形態１の電子機器１００における新着確認用の操作入力の入力パターンと新着確認用の駆動パターンとを示す図である。
【図９】実施の形態の電子機器１００における新着情報の通知処理を示すフローチャートである。
【図１０】実施の形態２の電子機器４００の構成を示す図である。
【図１１】実施の形態２の電子機器４００で用いる数字の入力を行っている状態を示す図である。
【図１２】実施の形態２の電子機器４００における着信音出力用の操作入力の入力パターンと着信パターンとを示す図である。
【図１３】実施の形態の電子機器４００における新着情報の通知処理と着信音出力処理とを示すフローチャートである。
【図１４】実施の形態３の電子機器５００の構成を示す図である。
【図１５】実施の形態３の電子機器５００における新着確認用の操作入力の入力パターン、新着確認用の駆動パターン、及び指紋データを示す図である。
【図１６】実施の形態３の電子機器５００における新着情報の通知処理と着信音出力処理とを示すフローチャートである。
【発明を実施するための形態】
【００１０】
以下、本発明の電子機器を適用した実施の形態について説明する。
【００１１】
＜実施の形態１＞
図１は、実施の形態１の電子機器１００を示す斜視図である。
【００１２】
電子機器１００は、一例として、タッチパネルを入力操作部とする、スマートフォン端末機、又は、タブレット型コンピュータである。電子機器１００は、タッチパネルを入力操作部とする機器であればよいため、例えば、携帯情報端末機であってもよい。
【００１３】
電子機器１００の入力操作部１０１は、タッチパネルの下にディスプレイパネルが配設されており、ディスプレイパネルにＧＵＩ(Graphic User Interface)による様々なボタン１０２Ａ、又は、スライダー１０２Ｂ等（以下、ＧＵＩ操作部１０２と称す）が表示される。
【００１４】
電子機器１００の利用者は、通常、ＧＵＩ操作部１０２を操作するために、指先で入力操作部１０１に触れる。
【００１５】
また、電子機器１００の筐体１０３には、音量を調整するための音量ボタン１０４、電源ボタン１０５、及びスピーカ１０６が設けられている。音量ボタン１０４の＋側を押せばスピーカ１０６から出力される音量が増大し、−側を押せば音量は小さくなる。
【００１６】
電源ボタン１０５は、電子機器１００の電源のオン／オフを切り替えと、スリープモードの選択とを行うためのスイッチである。電子機器１００の電源がオフの状態から電源ボタン１０５を一度押すと、電子機器１００の電源がオンになる。また、電子機器１００の電源がオンの状態から電源ボタン１０５をごく短い時間にわたって一度だけ押すと、電子機器１００はスリープモードになる。また、電子機器１００の電源がオンの状態から電源ボタン１０５を比較的長い時間（例えば１秒以上）にわたって押し続けると、電子機器１００の電源はオフになる。
【００１７】
なお、実施の形態１では、音量ボタン１０４及び電源ボタン１０５は、新着確認用の所定の操作入力を行うためにも用いられる。音量ボタン１０４及び電源ボタン１０５は、ボタン式の操作部の一例である。ボタン式とは、ＧＵＩ操作部のようにディスプレイパネルに表示されるのではなく、機械式のボタンである。
【００１８】
次に、図２を用いて、電子機器１００の具体的な構成について説明する。
【００１９】
図２は、実施の形態１の電子機器１００を示す平面図であり、図３は、図２に示す電子機器１００のＡ−Ａ矢視断面を示す図である。なお、図２及び図３では、図示するように直交座標系であるＸＹＺ座標系を定義する。
【００２０】
電子機器１００は、筐体１１０、トップパネル１２０、両面テープ１３０、振動素子１４０Ａ、ＬＲＡ(Linear Resonant Actuator)１４０Ｂ、タッチパネル１５０、ディスプレイパネル１６０、及び基板１７０を含む。電子機器１００は、電子機器１００に振動を生じさせる振動素子として、振動素子１４０Ａ又はＬＲＡ１４０Ｂの２つを含む。振動素子１４０Ａ及びＬＲＡ１４０Ｂは、ともに振動素子の一例である。
【００２１】
筐体１１０は、例えば、樹脂製であり、図３に示すように凹部１１０ＡにＬＲＡ１４０Ｂ、基板１７０、ディスプレイパネル１６０、及びタッチパネル１５０が配設されるとともに、両面テープ１３０によってトップパネル１２０が接着されている。
【００２２】
トップパネル１２０は、平面視で長方形の薄い平板状の部材であり、透明なガラス、又は、ポリカーボネートのような強化プラスティックで作製される。トップパネル１２０の表面（Ｚ軸正方向側の面）は、電子機器１００の利用者が操作入力を行う操作面の一例である。
【００２３】
トップパネル１２０は、Ｚ軸負方向側の面に振動素子１４０Ａが接着され、平面視における四辺が両面テープ１３０によって筐体１１０に接着されている。なお、両面テープ１３０は、トップパネル１２０の四辺を筐体１１０に接着できればよく、図３に示すように矩形環状である必要はない。
【００２４】
トップパネル１２０のＺ軸負方向側にはタッチパネル１５０が配設される。トップパネル１２０は、タッチパネル１５０の表面を保護するために設けられている。なお、トップパネル１２０の表面に、さらに別なパネル又は保護膜等が設けられていてもよい。
【００２５】
トップパネル１２０は、Ｚ軸負方向側の面に振動素子１４０Ａが接着された状態で、振動素子１４０Ａが駆動されることによって振動する。実施の形態１では、トップパネル１２０の固有振動周波数でトップパネル１２０を振動させて、トップパネル１２０に定在波を生じさせる。ただし、トップパネル１２０には振動素子１４０Ａが接着されているため、実際には、振動素子１４０Ａの重さ等を考慮した上で、固有振動周波数を決めることが好ましい。
【００２６】
振動素子１４０Ａは、トップパネル１２０のＺ軸負方向側の面において、Ｙ軸正方向側において、Ｘ軸方向に伸延する短辺に沿って接着されている。振動素子１４０Ａは、超音波帯の振動を発生できる素子であればよく、例えば、圧電素子を用いることができる。
【００２７】
振動素子１４０Ａは、後述する駆動制御部から出力される駆動信号によって駆動される。振動素子１４０Ａが発生する振動の振幅（強度）及び周波数は駆動信号によって設定される。また、振動素子１４０Ａのオン／オフは駆動信号によって制御される。
【００２８】
なお、超音波帯とは、例えば、約２０ｋＨｚ以上の周波数帯をいう。実施の形態１の電子機器１００では、振動素子１４０Ａが振動する周波数は、トップパネル１２０の振動数と等しくなるため、振動素子１４０Ａは、トップパネル１２０の固有振動数で振動するように駆動信号によって駆動される。
【００２９】
ＬＲＡ１４０Ｂは、筐体１１０の凹部１１０Ａに配設されており、可聴域の周波数の駆動信号で駆動される。ＬＲＡ１４０Ｂは、例えば、ボイスコイルを用いたＬＲＡ、又は、圧電素子を用いたＬＲＡを用いることができる。ここで、可聴域とは、例えば、約２０Ｈｚ以上で約２０ｋＨｚ未満の周波数帯である。ＬＲＡ１４０Ｂは、電子機器１００の全体を可聴域の周波数で振動させる。なお、可聴域の周波数の駆動信号でＬＲＡ１４０Ｂを駆動する際は、周囲の人に振動音が聞こえないようにするために、振動音が生じない程度に出力を低くすればよい。
【００３０】
タッチパネル１５０は、ディスプレイパネル１６０の上（Ｚ軸正方向側）で、トップパネル１２０の下（Ｚ軸負方向側）に配設されている。タッチパネル１５０は、電子機器１００の利用者がトップパネル１２０に触れる位置（以下、操作入力の位置と称す）を検出する座標検出部の一例である。
【００３１】
タッチパネル１５０の下にあるディスプレイパネル１６０には、ＧＵＩによる様々なボタン等（以下、ＧＵＩ操作部と称す）が表示される。このため、電子機器１００の利用者は、通常、ＧＵＩ操作部を操作するために、指先でトップパネル１２０に触れる。
【００３２】
タッチパネル１５０は、利用者のトップパネル１２０への操作入力の位置を検出できる座標検出部であればよく、例えば、静電容量型又は抵抗膜型の座標検出部であればよい。ここでは、タッチパネル１５０が静電容量型の座標検出部である形態について説明する。タッチパネル１５０とトップパネル１２０との間に隙間があっても、静電容量型のタッチパネル１５０は、トップパネル１２０への操作入力を検出できる。
【００３３】
また、ここでは、タッチパネル１５０の入力面側にトップパネル１２０が配設される形態について説明するが、トップパネル１２０はタッチパネル１５０と一体的であってもよい。この場合、タッチパネル１５０の表面が図２及び図３に示すトップパネル１２０の表面になり、操作面を構築する。また、図２及び図３に示すトップパネル１２０を省いた構成であってもよい。この場合も、タッチパネル１５０の表面が操作面を構築する。また、この場合には、操作面を有する部材を、当該部材の固有振動で振動させればよい。
【００３４】
また、タッチパネル１５０が静電容量型の場合は、トップパネル１２０の上にタッチパネル１５０が配設されていてもよい。この場合も、タッチパネル１５０の表面が操作面を構築する。また、タッチパネル１５０が静電容量型の場合は、図２及び図３に示すトップパネル１２０を省いた構成であってもよい。この場合も、タッチパネル１５０の表面が操作面を構築する。また、この場合には、操作面を有する部材を、当該部材の固有振動で振動させればよい。
【００３５】
ディスプレイパネル１６０は、例えば、液晶ディスプレイパネル又は有機ＥＬ(Electroluminescence)パネル等の画像を表示できる表示部であればよい。ディスプレイパネル１６０は、筐体１１０の凹部１１０Ａの内部で、図示を省略するホルダ等によって基板１７０の上（Ｚ軸正方向側）に設置される。
【００３６】
ディスプレイパネル１６０は、後述するドライバＩＣ(Integrated Circuit)によって駆動制御が行われ、電子機器１００の動作状況に応じて、ＧＵＩ操作部、画像、文字、記号、図形等を表示する。
【００３７】
基板１７０は、筐体１１０の凹部１１０Ａの内部に配設される。基板１７０の上には、ディスプレイパネル１６０及びタッチパネル１５０が配設される。ディスプレイパネル１６０及びタッチパネル１５０は、図示を省略するホルダ等によって基板１７０及び筐体１１０に固定されている。
【００３８】
基板１７０には、電子機器１００の駆動に必要な種々の回路等が実装される。
【００３９】
以上のような構成の電子機器１００は、トップパネル１２０に利用者の指が接触し、指先の移動を検出すると、基板１７０に実装される駆動制御部が振動素子１４０Ａを駆動し、トップパネル１２０を超音波帯の周波数で振動させる。この超音波帯の周波数は、トップパネル１２０と振動素子１４０Ａとを含む共振系の共振周波数であり、トップパネル１２０に定在波を発生させる。
【００４０】
電子機器１００は、超音波帯の定在波を発生させることにより、トップパネル１２０を通じて利用者に触感を提供する。
【００４１】
次に、図４を用いて、トップパネル１２０に発生させる定在波について説明する。
【００４２】
図４は、超音波帯の固有振動によってトップパネル１２０に生じる定在波のうち、トップパネル１２０の短辺に平行に形成される波頭を示す図であり、図４の（Ａ）は側面図、（Ｂ）は斜視図である。図４の（Ａ）、（Ｂ）では、図２及び図３と同様のＸＹＺ座標を定義する。なお、図４の（Ａ）、（Ｂ）では、理解しやすさのために、定在波の振幅を誇張して示す。また、図４の（Ａ）、（Ｂ）では振動素子１４０Ａを省略する。
【００４３】
トップパネル１２０のヤング率Ｅ、密度ρ、ポアソン比δ、長辺寸法ｌ、厚さｔと、長辺方向に存在する定在波の周期数ｋとを用いると、トップパネル１２０の固有振動数（共振周波数）ｆは次式（１）、（２）で表される。定在波は１／２周期単位で同じ波形を有するため、周期数ｋは、０．５刻みの値を取り、０．５、１、１．５、２・・・となる。
【００４４】
【数１】
2015207242.tif 000003
【００４５】
【数２】
2015207242.tif 000004
【００４６】
なお、式（２）の係数αは、式（１）におけるｋ２以外の係数をまとめて表したものである。
【００４７】
図４の（Ａ）、（Ｂ）に示す定在波は、一例として、周期数ｋが１０の場合の波形である。例えば、トップパネル１２０として、長辺の長さｌが１４０ｍｍ、短辺の長さが８０ｍｍ、厚さｔが０．７ｍｍのGorilla（登録商標）ガラスを用いる場合には、周期数ｋが１０の場合に、固有振動数ｆは３３．５［ｋＨｚ］となる。この場合は、周波数が３３．５［ｋＨｚ］の駆動信号を用いればよい。
【００４８】
トップパネル１２０は、平板状の部材であるが、振動素子１４０Ａ（図２及び図３参照）を駆動して超音波帯の固有振動を発生させると、図４の（Ａ）、（Ｂ）に示すように撓むことにより、表面に定在波が生じる。
【００４９】
なお、ここでは、１つの振動素子１４０Ａがトップパネル１２０のＺ軸負方向側の面において、Ｙ軸正方向側において、Ｘ軸方向に伸延する短辺に沿って接着される形態について説明するが、振動素子１４０Ａを２つ用いてもよい。２つの振動素子１４０Ａを用いる場合は、もう１つの振動素子１４０Ａをトップパネル１２０のＺ軸負方向側の面において、Ｙ軸負方向側において、Ｘ軸方向に伸延する短辺に沿って接着すればよい。この場合に、２つの振動素子１４０Ａは、トップパネル１２０の２つの短辺に平行な中心線を対称軸として、対称になるように配設すればよい。
【００５０】
また、２つの振動素子１４０Ａを駆動する場合は、周期数ｋが整数の場合は同一位相で駆動すればよく、周期数ｋが奇数の場合は逆位相で駆動すればよい。
【００５１】
次に、図５を用いて、電子機器１００のトップパネル１２０に生じさせる超音波帯の固有振動について説明する。
【００５２】
図５は、電子機器１００のトップパネル１２０に生じさせる超音波帯の固有振動により、操作入力を行う指先に掛かる動摩擦力が変化する様子を説明する図である。図５の（Ａ）、（Ｂ）では、利用者が指先でトップパネル１２０に触れながら、指をトップパネル１２０の奥側から手前側に矢印に沿って移動する（ドラッグする）操作入力（ドラッグ操作）を行っている。なお、振動のオン／オフは、振動素子１４０Ａ（図２及び図３参照）をオン／オフすることによって行われる。
【００５３】
また、図５の（Ａ）、（Ｂ）では、トップパネル１２０の奥行き方向において、振動がオフの間に指が触れる範囲をグレーで示し、振動がオンの間に指が触れる範囲を白く示す。
【００５４】
超音波帯の固有振動は、図４に示すようにトップパネル１２０の全体に生じるが、図５の（Ａ）、（Ｂ）には、利用者の指がトップパネル１２０の奥側から手前側に移動する間に振動のオン／オフを切り替える動作パターンを示す。
【００５５】
このため、図５の（Ａ）、（Ｂ）では、トップパネル１２０の奥行き方向において、振動がオフの間に指が触れる範囲をグレーで示し、振動がオンの間に指が触れる範囲を白く示す。
【００５６】
図５の（Ａ）に示す動作パターンでは、利用者の指がトップパネル１２０の奥側にあるときに振動がオフであり、指を手前側に移動させる途中で振動がオンになっている。
【００５７】
一方、図５の（Ｂ）に示す動作パターンでは、利用者の指がトップパネル１２０の奥側にあるときに振動がオンであり、指を手前側に移動させる途中で振動がオフになっている。
【００５８】
ここで、トップパネル１２０に超音波帯の固有振動を生じさせると、トップパネル１２０の表面と指との間にスクイーズ効果による空気層が介在し、指でトップパネル１２０の表面をなぞったときの動摩擦係数が低下する。
【００５９】
従って、図５の（Ａ）では、トップパネル１２０の奥側にグレーで示す範囲では、指先に掛かる動摩擦力は大きく、トップパネル１２０の手前側に白く示す範囲では、指先に掛かる動摩擦力は小さくなる。
【００６０】
このため、図５の（Ａ）に示すようにトップパネル１２０に操作入力を行う利用者は、振動がオンになると、指先に掛かる動摩擦力の低下を感知し、指先の滑り易さを知覚することになる。このとき、利用者はトップパネル１２０の表面がより滑らかになることにより、動摩擦力が低下するときに、トップパネル１２０の表面に凹部が存在するように感じる。
【００６１】
一方、図５の（Ｂ）では、トップパネル１２０の奥前側に白く示す範囲では、指先に掛かる動摩擦力は小さく、トップパネル１２０の手前側にグレーで示す範囲では、指先に掛かる動摩擦力は大きくなる。
【００６２】
このため、図５の（Ｂ）に示すようにトップパネル１２０に操作入力を行う利用者は、振動がオフになると、指先に掛かる動摩擦力の増大を感知し、指先の滑り難さ、あるいは、引っ掛かる感じを知覚することになる。そして、指先が滑りにくくなることにより、動摩擦力が高くなるときに、トップパネル１２０の表面に凸部が存在するように感じる。
【００６３】
以上より、図５の（Ａ）と（Ｂ）の場合に、利用者は指先で凹凸を感じ取ることができる。このように人間が凹凸の知覚することは、例えば、"触感デザインのための印刷物転写法とSticky-band Illusion"(第11回計測自動制御学会システムインテグレーション部門講演会論文集 (SI2010, 仙台)____174-177, 2010-12)に記載されている。また、"Fishbone Tactile Illusion"(日本バーチャルリアリティ学会第10 回大会論文集(2005 年9 月))にも記載されている。
【００６４】
なお、ここでは、振動のオン／オフを切り替える場合の動摩擦力の変化について説明したが、これは、振動素子１４０Ａの振幅（強度）を変化させた場合も同様である。
【００６５】
次に、図６を用いて、実施の形態１の電子機器１００の構成について説明する。また、ここでは、図６に加えて、図７を用いて、電子機器１００の振動素子１４０Ａを駆動する駆動波形について説明する。
【００６６】
図６は、実施の形態１の電子機器１００の構成を示す図である。図７は、新着情報がある場合に電子機器１００が振動素子１４０Ａを駆動する駆動波形を示す図である。
【００６７】
電子機器１００は、音量ボタン１０４、電源ボタン１０５、振動素子１４０Ａ、アンプ１４１Ａ、ドライバＩＣ(Integrated Circuit)１４１Ｂ、タッチパネル１５０、ドライバＩＣ１５１、ディスプレイパネル１６０、ドライバＩＣ１６１、制御部２００、正弦波発生器３１０、及び振幅変調器３２０を含む。
【００６８】
制御部２００は、アプリケーションプロセッサ２２０、通信プロセッサ２３０、駆動制御部２４０、操作判定部２５０、新着判定部２６０、及びメモリ２７０を有する。制御部２００は、例えば、ＩＣチップで実現される。
【００６９】
図６では、筐体１１０、トップパネル１２０、両面テープ１３０、及び基板１７０（図２参照）は省略する。また、ここでは、アンプ１４１Ａ、ドライバＩＣ１４１Ｂ、ドライバＩＣ１５１、ドライバＩＣ１６１、駆動制御部２４０、操作判定部２５０、新着判定部２６０、メモリ２７０、正弦波発生器３１０、及び振幅変調器３２０について説明する。
【００７０】
アンプ１４１Ａは、振幅変調器３２０から出力される駆動信号を増幅して振動素子１４０Ａを駆動する。
【００７１】
ドライバＩＣ１４１Ｂは、駆動制御部２４０から入力される駆動信号を増幅等してＬＲＡ１４０Ｂに出力する。これによりＬＲＡ１４０Ｂは、駆動信号に基づいて振動音が生じない程度の出力で駆動される。
【００７２】
ドライバＩＣ１５１は、タッチパネル１５０に接続されており、タッチパネル１５０への操作入力があった位置を表す位置データを検出し、位置データを制御部２００に出力する。この結果、位置データは、アプリケーションプロセッサ２２０と駆動制御部２４０に入力される。
【００７３】
ドライバＩＣ１６１は、ディスプレイパネル１６０に接続されており、アプリケーションプロセッサ２２０から出力される描画データをディスプレイパネル１６０に入力し、描画データに基づく画像をディスプレイパネル１６０に表示させる。これにより、ディスプレイパネル１６０には、描画データに基づくＧＵＩ操作部又は画像等が表示される。
【００７４】
アプリケーションプロセッサ２２０は、電子機器１００の種々のアプリケーションを実行する処理を行う。アプリケーションプロセッサ２２０は、アプリケーション実行部の一例である。また、アプリケーションプロセッサ２２０は、タッチパネル１５０への操作入力の内容を判定する操作判定部の一例である。
【００７５】
通信プロセッサ２３０は、電子機器１００が３Ｇ(Generation)、４Ｇ(Generation)、LTE(Long Term Evolution)、WiFi等の通信を行うために必要な処理を実行する。
【００７６】
駆動制御部２４０は、操作入力の有無と、操作入力の位置の移動距離とに応じて、振幅データを振幅変調器３２０に出力する。振幅データは、振動素子１４０Ａの駆動に用いる駆動信号の強度を調整するための振幅値を表すデータである。
【００７７】
駆動制御部２４０は、アプリケーションプロセッサ２２０から入力されるアプリケーションの種類を表すデータと、タッチパネル１５０から入力される位置データとに応じて、振動素子１４０Ａのオン／オフを切り替える。駆動制御部２４０は、アプリケーションの種類に応じて、振動素子１４０Ａのオン／オフを切り替えるパターンを選択する。
【００７８】
ここで、振動素子１４０Ａのオン／オフを切り替えるのは、トップパネル１２０の振動のオン／オフを切り替えると、利用者の指先に掛かる動摩擦力が変化するため、触感を通じて利用者に操作量を感知させるためである。
【００７９】
また、駆動制御部２４０は、操作判定部２５０によって新着確認用の操作が行われたと判定され、新着判定部２６０によって新着情報があると判定された場合に、利用者に新着情報があることを通知するために、所定の駆動パターンで振動素子１４０Ａ又はＬＲＡ１４０を駆動する。
【００８０】
振動素子１４０Ａが駆動される場合は、超音波帯の固有振動によってトップパネル１２０に定在波が生じる。
【００８１】
このようにトップパネル１２０に定在波を発生させるのは、利用者が指でトップパネル１２０の表面をなぞったときの動摩擦係数をスクイーズ効果で低下させることにより、利用者がディスプレイパネル１６０を目視することなく、新着情報の有無を触感で確認できるようにするためである。
【００８２】
駆動制御部２４０は、新着情報がある場合には、例えば、図７に示すように、時刻ｔ１からｔ２まで振幅Ａで振動素子１４０Ａをオンにする。時刻ｔ１は、例えば、時刻ｔ０で新着確認用の操作が行われてから０．５秒後に設定され、時刻ｔ１からｔ２までの時間は、例えば、３秒に設定される。このような駆動パターンが、利用者に新着情報があることを通知するための所定の駆動パターンである。
【００８３】
このように、トップパネル１２０に超音波帯の周波数の振動を発生させることにより、利用者はディスプレイパネル１６０を目視することなく、新着情報の有無を触感で確認することができる。
【００８４】
なお、電子機器１００のメモリ２７０には様々な駆動パターンのデータが格納されており、利用者は好みの駆動パターンを選択することができる。図７に示す駆動パターンは、メモリ２７０に格納される様々な駆動パターンのデータのうちの１つのデータによるものである。
【００８５】
また、駆動制御部２４０によってＬＲＡ１４０Ｂが振動音が生じない程度の低出力で駆動される場合は、筐体１１０及びトップパネル１２０に可聴域の周波数の振動が発生するため、利用者はディスプレイパネル１６０を目視することなく、新着情報の有無を触感で確認することができる。
【００８６】
なお、振動素子１４０Ａ又はＬＲＡ１４０Ｂのいずれをオンにするかは、利用者が予め設定することができる。
【００８７】
操作判定部２５０は、スリープモードの状態で音量ボタン１０４又は電源ボタン１０５に対して行われる操作入力の内容を判定する。操作判定部２５０は、スリープモードの状態で音量ボタン１０４又は電源ボタン１０５に操作入力が行われると、メモリ２７０に格納されている新着確認用の操作入力のデータと照合することにより、新着確認用の所定の操作入力が行われたかどうかを判定する。
【００８８】
例えば、新着確認用の所定の操作入力が音量ボタン１０４の＋側と−側とが交互に２回ずつ繰り返し押す入力パターンである場合には、音量ボタン１０４の＋側と−側とが交互に２回ずつ繰り返し押された場合に、操作判定部２５０は新着確認用の所定の操作入力が行われたと判定する。
【００８９】
ここで、スリープモードとは、電子機器１００の消費電力を低減するために、電源ボタン１０５が一度押された場合、又は、一定時間以上操作が行われない場合に選択されるモードである。スリープモードでは、実行中のアプリケーションプログラムを終了させることなく、アプリケーションプロセッサ２２０が省エネルギモードに設定される。また、ディスプレイパネル１６０は非表示状態にされる。
【００９０】
なお、スリープモードにおいても、メール及びショートメッセージサービスの受信、電話の着信があった旨の通知、留守番電話のメッセージがある旨の通知、アプリケーションでの通知、ソーシャルネットワークサービスでの通知は電子機器１００によって受信される。
【００９１】
また、スリープモードにおいても、その他のインターネット、ＬＡＮ(Local Area Network)、近距離無線通信、電話回線等を介してデータ等が受信される。
【００９２】
ここでは、スリープモードは、利用者によって新着確認用の操作入力が行われても解除されないものとする。
【００９３】
新着確認用の所定の操作入力は、電子機器１００を通常利用している状態では行わないような音量ボタン１０４又は電源ボタン１０５への入力パターンとして設定されている。このような入力パターンを表すデータは、照合用にメモリ２７０に格納されている。また、新着確認用の所定の操作入力は、利用者が任意に設定できるようにされていてもよい。この場合には、新着確認用の所定の操作入力を設定する動作モードにおいて、利用者が音量ボタン１０４又は電源ボタン１０５を操作して得られる入力パターンを表すデータをメモリ２７０に格納しておけばよい。
【００９４】
なお、操作判定部２５０は、スリープモードが解除された通常の動作モードの状態で音量ボタン１０４又は電源ボタン１０５への操作入力を判定する判定部が、スリープモードにおいて操作判定部２５０として機能することによって実現されてもよい。また、操作判定部２５０は、スリープモードが解除された通常の動作モードの状態で音量ボタン１０４又は電源ボタン１０５への操作入力を判定する判定部とは別に設けられ、スリープモードのみにおける音量ボタン１０４又は電源ボタン１０５への操作入力を判定する判定部であってもよい。
【００９５】
新着判定部２６０は、操作判定部２５０によって新着情報確認用の所定の操作入力が行われたと判定されると、新着情報があるかどうかを判定する。新着判定部２６０が有無を判定する新着情報は、例えば、電子メール、ショートメッセージサービス、電話の着信、留守番電話、アプリケーションでの通知、ソーシャルネットワークサービスでの通知、その他のインターネット、ＬＡＮ、近距離無線通信、電話回線等を介して受信するデータ等である。
【００９６】
新着判定部２６０は、アプリケーションプロセッサ２２０及び通信プロセッサ２３０から上述のような新着情報を入手する。
【００９７】
メモリ２７０は、新着確認用の所定の操作入力の入力パターンを表すデータと、利用者に新着情報があることを通知するための所定の駆動パターンを表すデータとを格納する。
【００９８】
また、メモリ２７０は、アプリケーションプロセッサ２２０がアプリケーションの実行に必要とするデータ及びプログラム、及び、通信プロセッサ２３０が通信処理に必要とするデータ及びプログラム等を格納する。
【００９９】
正弦波発生器３１０は、トップパネル１２０を固有振動数で振動させるための駆動信号を生成するのに必要な正弦波を発生させる。例えば、トップパネル１２０を３３．５［ｋＨｚ］の固有振動数ｆで振動させる場合は、正弦波の周波数は、３３．５［ｋＨｚ］となる。正弦波発生器３１０は、超音波帯の正弦波信号を振幅変調器３２０に入力する。
【０１００】
振幅変調器３２０は、駆動制御部２４０から入力される振幅データを用いて、正弦波発生器３１０から入力される正弦波信号の振幅を変調して駆動信号を生成する。振幅変調器３２０は、正弦波発生器３１０から入力される超音波帯の正弦波信号の振幅のみを変調し、周波数及び位相は変調せずに、駆動信号を生成する。
【０１０１】
このため、振幅変調器３２０が出力する駆動信号は、正弦波発生器３１０から入力される超音波帯の正弦波信号の振幅のみを変調した超音波帯の正弦波信号である。なお、振幅データがゼロの場合は、駆動信号の振幅はゼロになる。これは、振幅変調器３２０が駆動信号を出力しないことと等しい。
【０１０２】
図８は、実施の形態１の電子機器１００における新着確認用の操作入力の入力パターンと新着確認用の駆動パターンとを示す図である。
【０１０３】
図８（Ａ）に示すように、新着確認用の操作入力の入力パターンを表すデータは、識別子(ID)を表すデータと関連付けられる。このように関連付けられたデータはメモリ２７０に格納される。
【０１０４】
図８（Ａ）では、識別子(ID)A001と、音量ボタン１０４を＋／−／＋／−と４回押す入力パターンを表すデータが関連付けられている。また、識別子(ID)A002と、音量ボタン１０４を＋／−と４回押した後に電源ボタン１０５を１回押す入力パターンを表すデータが関連付けられている。また、識別子(ID)A003と、音量ボタン１０４を＋／＋／−／−を４回押す入力パターンを表すデータが関連付けられている。
【０１０５】
なお、これらは一例であり、メモリ２７０にはさらに多くの入力パターンが格納されていてもよい。
【０１０６】
また、新着確認用の操作入力の入力パターンは、各操作の時間を表すデータをさらに含んでいてもよい。例えば、音量ボタン１０４を＋／−／＋／−と４回押す場合に、＋／−／＋／−の４回の操作の１つ１つを行う時間を表すデータとして、１秒未満／１秒未満／１秒未満／２秒未満のような時間のデータを関連付けてもよい。この場合は、音量ボタン１０４を＋／−／＋／−と４回操作する場合の各操作の時間が、それぞれ、１秒未満／１秒未満／１秒未満／２秒未満に当てはまれば、正しく操作入力が行われたことになる。
【０１０７】
図８（Ｂ）に示すように、新着確認用の駆動パターンは、識別子(ID)及びリピート回数を表すデータと関連付けられる。また、駆動パターンは、通知動作と動作時間とに分けられている。通知動作は、振動素子１４０又はＬＲＡ１４０Ｂの動作内容を表し、動作時間は動作内容に含まれる各動作の時間を表す。このような新着確認用の駆動パターンを表すデータは、メモリ２７０に格納される。
【０１０８】
図８（Ｂ）では、識別子(ID)B001、リピート回数２回を表すデータ、通知動作としてＬＲＡ１４０Ｂをオンからオフに切り替える動作内容（オン／オフと表す）を表すデータ、及び動作時間として０．５秒、０．２秒（０．５／０．２と表す）を表すデータが関連付けられている。すなわち、識別子(ID)B001の駆動パターンは、ＬＲＡ１４０Ｂを０．５秒オンにした後に０．２秒オフにする駆動パターンであり、これを２回リピートすることになる。
【０１０９】
また、識別子(ID)B002、リピート回数３回を表すデータ、通知動作としてＬＲＡ１４０Ｂをオンからオフに切り替える動作内容（オン／オフと表す）を表すデータ、及び動作時間として０．２秒、０．１秒（０．２／０．１と表す）を表すデータが関連付けられている。すなわち、識別子(ID)B002の駆動パターンは、ＬＲＡ１４０Ｂを０．２秒オンにした後に０．１秒オフにする駆動パターンであり、これを３回リピートすることになる。
【０１１０】
また、識別子(ID)B003、リピート回数１回を表すデータ、通知動作として振動素子１４０Ａをオンにする動作内容を表すデータ、及び動作時間として３秒を表すデータが関連付けられている。すなわち、識別子(ID)B003の駆動パターンは、振動素子１４０Ａを３秒オンにする駆動パターンであり、これを１度だけ行うことになる。
【０１１１】
なお、これらは一例であり、メモリ２７０にはさらに多くの駆動パターンが格納されていてもよい。
【０１１２】
電子機器１００の設定として、利用者が以上のような新着確認用の操作入力の入力パターンと、新着確認用の駆動パターンとを選択できるようにしておけば、利用者が好みの入力パターンと駆動パターンとの組み合わせを設定することができる。
【０１１３】
なお、図８（Ａ）、（Ｂ）には、予めメモリ２７０に格納されている新着確認用の操作入力の入力パターンと、新着確認用の駆動パターンとを示すが、利用者がオリジナルの入力パターンと駆動パターンを設定できるようにしてもよい。
【０１１４】
図９は、実施の形態の電子機器１００における新着情報の通知処理を示すフローチャートである。初期状態では、電子機器１００はスリープモードの状態であることとする。また、ここでは、図９に示す新着情報の通知処理は、スリープモードの状態を保持したまま行われるものとして説明する。
【０１１５】
スリープモードの状態において、音量ボタン１０４が操作されると（ステップＳ１）、操作判定部２５０は操作内容が予め設定された入力パターンと一致するかどうかを判定する（ステップＳ２）。
【０１１６】
ステップＳ２において、操作判定部２５０によって操作内容が予め設定された入力パターンと一致する（Ｓ２：ＹＥＳ）と判定されると、新着判定部２６０は、新着情報があるかどうかを判定する（ステップＳ３）。ステップＳ３では、新着判定部２６０は、アプリケーションプロセッサ２２０及び通信プロセッサ２３０から新着情報を入手を試みる。
【０１１７】
ステップＳ３において新着判定部２６０によって新着情報がある（Ｓ３：ＹＥＳ）と判定されると、駆動制御部２４０は、振動素子１４０Ａ又はＬＲＡ１４０Ｂを駆動することにより、振動を発生させる（ステップＳ４）。ステップＳ４の処理により、電子機器１００の利用者には振動によって新着情報があることが通知される。
【０１１８】
以上により新着情報の通知処理が終了すると、電子機器１００はスリープモードを保持する。
【０１１９】
なお、ステップＳ２において操作判定部２５０によって操作内容が予め設定された入力パターンと一致しない（Ｓ２：ＮＯ）と判定された場合と、ステップＳ３において新着判定部２６０によって新着情報がない（Ｓ３：ＮＯ）と判定された場合は、フローは終了し、電子機器１００はスリープモードを保持する。
【０１２０】
なお、上述したように、図９に示す新着情報の通知処理（Ｓ１〜Ｓ４）は、スリープモードの状態を保持したまま行われるものである。
【０１２１】
以上、実施の形態１によれば、例えば、利用者が上着、ズボン、又はスカートのポケット等に電子機器１００を入れた状態で、音量ボタン１０４又は電源ボタン１０５を操作して新着情報確認用の操作入力を行えば、ポケットの中で電子機器１００が振動するか否かで新着情報の有無を確認することができる。
【０１２２】
従って、実施の形態１によれば、目視することなく新着情報の有無を確認できる電子機器１００を提供することができる。
【０１２３】
なお、以上では、スリープモードの状態で新着確認用の操作入力が行われる形態について説明したが、スリープモードの状態であるか否かに拘わらず、ディスプレイパネル１６０が非表示の状態において新着確認用の操作入力を行うようにしてもよい。実施の形態１の電子機器１００では、スリープモードの状態、又は、スリープモードの状態であるか否かに拘わらずディスプレイパネル１６０が非表示の状態のように、省エネルギモードの状態で新着確認用の操作入力が行われればよい。
【０１２４】
また、以上では、操作判定部２５０と新着判定部２６０がアプリケーションプロセッサ２２０とは別に設けられる形態について説明したが、操作判定部２５０又は新着判定部２６０はアプリケーションプロセッサ２２０に含まれていてもよい。
【０１２５】
また、以上では、電子機器１００が振動素子１４０ＡとＬＲＡ１４０Ｂの両方を含む形態について説明したが、いずれか一方のみを含む形態であってもよい。
【０１２６】
＜実施の形態２＞
図１０は、実施の形態２の電子機器４００の構成を示す図である。実施の形態２の電子機器４００は、実施の形態１の電子機器１００に加速度センサ１８０を追加するとともに、新たな機能を追加したものである。ここでは、実施の形態１の電子機器１００との相違点を中心に説明し、同様の構成要素には同一符号を付し、その説明を省略する。
【０１２７】
電子機器４００は、振動素子１４０Ａ、アンプ１４１Ａ、ドライバＩＣ(Integrated Circuit)１４１Ｂ、タッチパネル１５０、ドライバＩＣ１５１、ディスプレイパネル１６０、ドライバＩＣ１６１、加速度センサ１８０、制御部２００、正弦波発生器３１０、及び振幅変調器３２０を含む。
【０１２８】
アプリケーションプロセッサ２２０Ａは、駆動制御部２４０によって所定の駆動パターンで振動素子１４０Ａ又はＬＲＡ１４０Ｂが駆動された後に、加速度センサ１８０から所定度合以上の加速度を表す信号が入力されると、所定時間経過後に着信音を出力する機能を有する。アプリケーションプロセッサ２２０Ａは、着信制御部の一例である。
【０１２９】
ここでの着信音の出力は、着信の有無とは無関係に、着信音を強制的に出力することをいう。このような機能を有する点が、実施の形態１のアプリケーションプロセッサ２２０Ａとの相違点である。
【０１３０】
なお、加速度センサ１８０が加速度を検出するのは、例えば、電子機器１００のタッチパネル１５０がタップされる場合を想定している。タップとは、軽く押すように触れることである。
【０１３１】
また、アプリケーションプロセッサ２２０Ａは、タッチパネル１５０に数字又は数字が手書き入力されると、文字認識を行う機能を有する。
【０１３２】
図１１は、実施の形態２の電子機器４００で用いる数字の入力を行っている状態を示す図である。ここでは、タッチパネル１５０に数字の８が入力される場合について説明する。数字の認識は、アプリケーションプロセッサ２２０Ａが行う。
【０１３３】
アプリケーションプロセッサ２２０Ａは、タッチパネル１５０に数字が入力されることによって、ドライバＩＣ１５１から位置データが入力されると、位置データの軌跡に基づき、パターンマッチング処理等を用いて手書き入力の文字認識を行う。
【０１３４】
また、ここでは、タッチパネル１５０に数字の８が入力される場合について説明したが、入力される数字は任意であり、一筆書きで入力してもよいし、一筆書きではなく複数の画数に分けて入力してもよい。また、数字ではなく、アルファベット、ひらがな、カタカナ、漢字等の文字であってもよい。
【０１３５】
従って、電子機器４００は、タッチパネル１５０に手書き入力によって入力される数字又は文字等を認識することができる。
【０１３６】
なお、文字認識に必要な数字又は文字等のデータは、メモリ２７０に格納しておけばよい。
【０１３７】
また、数字又は文字を予め利用者がタッチパネル１５０に入力しておき、そのときにドライバＩＣ１５１から出力される位置データ、又は、この位置データから得られる数字又は文字に関するデータをメモリ２７０に格納しておき、利用者が実際にタッチパネル１５０に数字又は文字を入力する際に、照合用のデータとして用いてもよい。また、このように数字又は文字を予め利用者がタッチパネル１５０に入力することは、１回ではなく、複数回行うことによって、利用者が入力する数字又は文字のパターンを抽出するようにしてもよい。
【０１３８】
図１２は、実施の形態２の電子機器４００における着信音出力用の操作入力の入力パターンと着信パターンとを示す図である。
【０１３９】
図１２（Ａ）に示すように、着信音出力用の操作入力の入力パターンを表すデータは、識別子(ID)、入力デバイスの種類、待機時間、検出内容の種類、及び遅延時間を表すデータを関連付けたデータである。このような着信音出力用の操作入力の入力パターンを表すデータは、メモリ２７０に格納される。
【０１４０】
入力デバイスの種類は、電子機器１００に着信音を出力させるための指令を利用者が電子機器１００に入力する際に用いるデバイスの種類を表す。ここでは、加速度センサ１８０とタッチパネル１５０を用いることができる。
【０１４１】
待機時間は、新着情報がある場合に電子機器１００が振動素子１４０Ａ又はＬＲＡ１４０Ｂを駆動し、駆動が終了してから入力デバイスで着信音出力用の操作入力の有無を判定するまでに待機する時間を表す。
【０１４２】
検出内容の種類は、着信音出力用の操作入力があったことを入力デバイスで検出する際の入力条件を表す。ここでは、加速度センサ１８０については０．１Ｇ以上の加速度を検出することが設定されており、タッチパネル１５０については、所定の数字を文字認識すること、又は、所定の２桁の数字を文字認識することが設定されている。
【０１４３】
遅延時間は、入力デバイスで電子機器１００に着信音を出力させるための指令を検出してから、着信音を出力するまでの時間である。着信音を出力させるための指令の検出に対して、着信音の出力を遅延させるための時間として設定される。ここでは、加速度センサ１８０で０．１Ｇ以上の加速度を検出した場合の遅延時間は６０秒に設定されており、タッチパネル１５０で数字を文字認識した場合は、認識した数字を６０倍した秒数（認識数字×６０（秒））に設定される。また、２桁の数字を文字認識した場合は、その２桁の数字が示す秒数（２桁の数字（秒））に遅延時間が設定される。
【０１４４】
以上のような識別子(ID)、入力デバイスの種類、待機時間、検出内容の種類、及び遅延時間は、図１２（Ａ）に示すように関連付けられている。
【０１４５】
具体的には、識別子(ID)C001、入力デバイスとしての加速度センサ１８０、待機時間としての１５（秒）、検出内容として０．１Ｇ以上、及び遅延時間としての６０秒を表すデータが関連付けられている。
【０１４６】
また、識別子(ID)C002、入力デバイスとしてのタッチパネル１５０、待機時間としての２０（秒）、検出内容として数字を文字認識すること、及び遅延時間として認識数字×６０（秒）を表すデータが関連付けられている。
【０１４７】
また、識別子(ID)C003、入力デバイスとしてのタッチパネル１５０、待機時間としての２０（秒）、検出内容として２桁の数字を文字認識すること、及び遅延時間として２桁の数字（秒）を表すデータが関連付けられている。
【０１４８】
図１２（Ｂ）に示すように、着信パターンを表すデータは、識別子(ID)と出力パターンを表すデータとを関連付けたデータである。ここでは、一例として、着信音、強振動、着信音＋振動の３種類の出力パターンを示す。なお、強振動と振動は、アプリケーションプロセッサ２２０Ａが駆動制御部２４０にＬＲＡ１４０Ｂを駆動させることによって実現される。例えば、強振動は、ＬＲＡ１４０Ｂの最大出力による振動に設定し、着信音＋振動の振動は、最大出力と最小出力との平均の出力による振動に設定すればよい。
【０１４９】
識別子(ID)D001と着信パターンの着信音とが関連付けられており、識別子(ID)D002と着信パターンの強振動とが関連付けられており、識別子(ID)D003と着信パターンの着信音＋振動とが関連付けられている。これらの着信パターンを表すデータは、メモリ２７０に格納されている。
【０１５０】
なお、図１２（Ａ）、（Ｂ）には、予めメモリ２７０に格納されている着信音出力用の操作入力の入力パターンと着信パターンとを示すが、利用者がオリジナルの着信音出力用の操作入力の入力パターンと着信パターンを設定できるようにしてもよい。
【０１５１】
図１３は、実施の形態の電子機器４００における新着情報の通知処理と着信音出力処理とを示すフローチャートである。図１３に示すステップＳ１〜Ｓ４は、図９に示すステップＳ１〜Ｓ４の新着情報の通知処理と同様であるため、重複説明を省略する。図１３に示すフローチャートは、図９に示す新着情報の通知処理（Ｓ１〜Ｓ４）に、着信音出力処理（Ｓ５、Ｓ６）を追加したものである。
【０１５２】
ステップＳ４で駆動制御部２４０が振動素子１４０Ａ又はＬＲＡ１４０Ｂを駆動することにより、振動を発生させると、アプリケーションプロセッサ２２０Ａは、待機時間の間に入力デバイスへの入力があるか否かを判定する（ステップＳ５）。
【０１５３】
ここでの待機時間は、利用者によって識別子(ID)C001の着信音出力用の操作入力の入力パターンが設定されていれば１５（秒）である。また、識別子(ID)C002又は識別子(ID)C003の着信音出力用の操作入力の入力パターンが設定されていれば、２０（秒）である。
【０１５４】
また、入力デバイスへの入力の有無は、利用者によって識別子(ID)C001の着信音出力用の操作入力の入力パターンが設定されていれば、アプリケーションプロセッサ２２０Ａが加速度センサ１８０で０．１Ｇ以上の加速度を検出したかどうかで判定する。
【０１５５】
また、利用者によって識別子(ID)C002の着信音出力用の操作入力の入力パターンが設定されていれば、アプリケーションプロセッサ２２０Ａがタッチパネル１５０への入力から数字を文字認識したかどうかで判定する。
【０１５６】
また、利用者によって識別子(ID)C002の着信音出力用の操作入力の入力パターンが設定されていれば、アプリケーションプロセッサ２２０Ａがタッチパネル１５０への入力から２桁の数字を文字認識したかどうかで判定する。
【０１５７】
入力デバイスへの入力があった場合は（Ｓ５：ＹＥＳ）、アプリケーションプロセッサ２２０Ａは着信音を出力する（ステップＳ６）。
【０１５８】
着信音の出力は、利用者によって識別子(ID)D001の着信音出力用の操作入力の入力パターンが設定されていれば、アプリケーションプロセッサ２２０Ａが着信音を出力することによって行われる。
【０１５９】
また、識別子(ID)D002の着信音出力用の操作入力の入力パターンが設定されていれば、アプリケーションプロセッサ２２０Ａが駆動制御部２４０にＬＲＡ１４０Ｂを駆動させて強振動を発生させることによって行われる。
【０１６０】
また、識別子(ID)D003の着信音出力用の操作入力の入力パターンが設定されていれば、アプリケーションプロセッサ２２０Ａが着信音を出力するとともに、駆動制御部２４０にＬＲＡ１４０Ｂを駆動させて振動を発生させることによって行われる。
【０１６１】
以上により新着情報の通知処理と着信音出力処理が終了すると、電子機器４００はスリープモードを保持する。
【０１６２】
なお、ステップＳ５において入力デバイスへの入力が待機時間内にない（Ｓ５：ＮＯ）と判定された場合は、フローは終了し、電子機器４００はスリープモードを保持する。
【０１６３】
また、上述したように、図１３に示す新着情報の通知処理（Ｓ１〜Ｓ５）は、スリープモードの状態を保持したまま行われるものである。
【０１６４】
以上、実施の形態２によれば、例えば、利用者が上着、ズボン、又はスカートのポケット等に電子機器４００を入れた状態で、音量ボタン１０４又は電源ボタン１０５を操作して新着情報確認用の操作入力を行えば、ポケットの中で電子機器４００が振動するか否かで新着情報の有無を確認することができる。
【０１６５】
従って、実施の形態２によれば、目視することなく新着情報の有無を確認できる電子機器４００を提供することができる。
【０１６６】
また、実施の形態２では、さらに、新着情報があることを知った利用者が、着信音を出力するための入力を行うことにより、所定の遅延時間経過後に着信音を電子機器１００に出力させることができる。
【０１６７】
従って、実際には着信がなくても、着信があることを理由に、例えば席を移動したりできる。
【０１６８】
また、着信音としては、着信音、強振動、着信音＋振動の３種類の出力パターンを選べる。また、これらの３種類の出力パターンは一例であり、さらに他の出力パターンが予め電子機器１００に設定されていてもよいし、利用者がオリジナルの出力パターンを設定することもできる。
【０１６９】
従って、利用価値の高い電子機器４００を提供することができる。
【０１７０】
なお、以上では、アプリケーションプロセッサ２２０Ａが、文字認識と、ステップＳ５及びＳ６の処理を行う形態について説明したが、アプリケーションプロセッサ２２０Ａ以外の処理部がこれらの処理を行うようにしてもよい。
【０１７１】
なお、以上では、スリープモードの状態で新着確認用の操作入力が行われる形態について説明したが、スリープモードの状態であるか否かに拘わらず、ディスプレイパネル１６０が非表示の状態において新着確認用の操作入力を行うようにしてもよい。実施の形態２の電子機器４００では、スリープモードの状態、又は、スリープモードの状態であるか否かに拘わらずディスプレイパネル１６０が非表示の状態のように、省エネルギモードの状態で新着確認用の操作入力が行われればよい。
【０１７２】
＜実施の形態３＞
図１４は、実施の形態３の電子機器５００の構成を示す図である。実施の形態３の電子機器５００は、実施の形態２の電子機器４００に指紋センサ１９０を追加するとともに、新たな機能を追加したものである。また、電子機器４００は、加速度センサ１８０（図１０参照）は含まない。ここでは、実施の形態１、２の電子機器１００、４００との相違点を中心に説明し、同様の構成要素には同一符号を付し、その説明を省略する。
【０１７３】
電子機器５００は、振動素子１４０Ａ、アンプ１４１Ａ、ドライバＩＣ(Integrated Circuit)１４１Ｂ、タッチパネル１５０、ドライバＩＣ１５１、ディスプレイパネル１６０、ドライバＩＣ１６１、指紋センサ１９０、制御部２００、正弦波発生器３１０、及び振幅変調器３２０を含む。
【０１７４】
アプリケーションプロセッサ２２０Ｂは、指紋センサ１９０で検出される指紋のデータと、メモリ２７０に格納された利用者の指紋データとを照合する（指紋認証を行う）機能を有する。アプリケーションプロセッサ２２０Ｂは、指紋認証判定部の一例である。なお、照合は指紋センサ１９０が行ってもよく、この場合は照合結果がアプリケーションプロセッサ２２０Ｂに入力されればよい。
【０１７５】
アプリケーションプロセッサ２２０Ｂは、実施の形態２のアプリケーションプロセッサ２２０Ａと同様に、タッチパネル１５０に数字又は数字が手書き入力されると、文字認識を行う機能を有する。なお、文字認識は、実施の形態２で図１１を用いて説明した内容と同様である。
【０１７６】
なお、ここでは、アプリケーションプロセッサ２２０Ｂが、実施の形態２のステップＳ５及びＳ６に相当する着信音出力処理は行わない形態について説明するが、着信音出力処理を行うようにしてもよい。
【０１７７】
図１５は、実施の形態３の電子機器５００における新着確認用の操作入力の入力パターン、新着確認用の駆動パターン、及び指紋データを示す図である。
【０１７８】
図１５（Ａ）に示すように、新着確認用の操作入力の入力パターンを表すデータは、識別子(ID)と関連付けられる。関連付けられたデータはメモリ２７０に格納される。図１５（Ａ）では、識別子(ID)E001と、図形Ａを表す入力パターンが関連付けられている。また、識別子(ID)E002と、図形Ｂを表す入力パターンが関連付けられている。また、識別子(ID)E003と、図形Ｃを表す入力パターンが関連付けられている。図形Ａ、Ｂ、Ｃは、例えば、タッチパネル１５０に大きな円を２つ描く図形、三角を描く図形、星形を描く図形等である。
【０１７９】
なお、これらは一例であり、メモリ２７０にはさらに多くの入力パターンが格納されていてもよい。
【０１８０】
図１５（Ｂ）に示すように、新着確認用の駆動パターンは、識別子(ID)及びリピート回数と関連付けられる。また、駆動パターンは、通知動作と動作時間とに分けられている。通知動作は、振動素子１４０又はＬＲＡ１４０Ｂの動作内容を表し、動作時間は動作内容に含まれる各動作の時間を表す。このような新着確認用の駆動パターンを表すデータは、メモリ２７０に格納される。
【０１８１】
図１５（Ｂ）に示す新着確認用の駆動パターンは、実施の形態１で図８（Ｂ）に示した新着確認用の駆動パターンと同様である。
【０１８２】
図１５（Ｃ）に示すように、指紋データは、利用者の識別子(ID)と関連付けられている。なお、図１５（Ｂ）、（Ｃ）に示すデータは、メモリ２７０に格納される。
【０１８３】
電子機器５００の設定として、利用者が以上のような新着確認用の操作入力の入力パターンと、新着確認用の駆動パターンとを選択できるようにしておけば、利用者が好みの入力パターンと駆動パターンとの組み合わせを設定することができる。
【０１８４】
なお、図１５（Ａ）、（Ｂ）には、予めメモリ２７０に格納されている新着確認用の操作入力の入力パターンと、新着確認用の駆動パターンとを示すが、利用者がオリジナルの入力パターンと駆動パターンを設定できるようにしてもよい。
【０１８５】
図１６は、実施の形態３の電子機器５００における新着情報の通知処理と着信音出力処理とを示すフローチャートである。実施の形態３では、スリープモードにおいてタッチパネル１５０は間欠的に駆動されるものとする。例えば、１０秒に一度、ドライバＩＣ１５１が位置データを出力するようになっている。なお、操作入力が行われていない場合には、位置データは操作入力が行われていないこと（検出座標がないこと）を表す。
【０１８６】
スリープモードの状態において、タッチパネル１５０に操作入力が行われると（ステップＳ１１）、アプリケーションプロセッサ２２０Ｂはタッチパネル１５０を起動させる（ステップＳ１２）。これは、間欠駆動ではなく、タッチパネル１５０が常時駆動される状態になることを意味する。
【０１８７】
ステップＳ１３でタッチパネル１５０に操作入力が行われると、アプリケーションプロセッサ２２０Ｂは、文字認識による照合で、メモリ２７０に入力パターンとして格納される図形データと一致するかどうか判定を行う（ステップＳ１４）。
【０１８８】
すなわち、利用者が識別子(ID)E001の入力パターンを選択している場合は、ステップＳ１４では図形Ａの図形データを用いて照合が行われる。また、利用者が識別子(ID)E002、識別子(ID)E003の入力パターンを選択している場合は、それぞれ、ステップＳ１４では図形Ｂ、Ｃの図形データを用いて照合が行われる。
【０１８９】
アプリケーションプロセッサ２２０Ｂは、ステップＳ１４で一致する（Ｓ１４：ＹＥＳ）と判定した場合は、指紋認証を行う（ステップＳ１５）。
【０１９０】
アプリケーションプロセッサ２２０ＢによってステップＳ１５で指紋が一致する（Ｓ１５：ＹＥＳ）と判定された場合は、新着判定部２６０は、新着情報があるかどうかを判定する（ステップＳ１６）。ステップＳ１６では、新着判定部２６０は、アプリケーションプロセッサ２２０及び通信プロセッサ２３０から新着情報を入手を試みる。
【０１９１】
ステップＳ１６において新着判定部２６０によって新着情報がある（Ｓ１６：ＹＥＳ）と判定されると、駆動制御部２４０は、振動素子１４０Ａ又はＬＲＡ１４０Ｂを駆動することにより、振動を発生させる（ステップＳ１７）。ステップＳ１７の処理により、電子機器１００の利用者には振動によって新着情報があることが通知される。
【０１９２】
以上により新着情報の通知処理と着信音出力処理が終了すると、電子機器５００はスリープモードを保持する。
【０１９３】
なお、ステップＳ１４において文字認識による照合結果が一致しない（Ｓ１４：ＮＯ）と判定された場合、ステップＳ１５において指紋が一致しない（Ｓ１５：ＮＯ）と判定された場合、及び、ステップＳ１６において新着判定部２６０によって新着情報がない（Ｓ１６：ＮＯ）と判定された場合は、フローは終了し、電子機器５００はスリープモードを保持する。
【０１９４】
なお、上述したように、図１６に示す新着情報の通知処理（Ｓ１１〜Ｓ１７）は、スリープモードの状態を保持したまま行われるものである。
【０１９５】
以上、実施の形態３によれば、例えば、利用者が上着、ズボン、又はスカートのポケット等に電子機器５００を入れた状態で、音量ボタン１０４又は電源ボタン１０５を操作して新着情報確認用の操作入力を行えば、ポケットの中で電子機器５００が振動するか否かで新着情報の有無を確認することができる。
【０１９６】
従って、実施の形態３によれば、目視することなく新着情報の有無を確認できる電子機器５００を提供することができる。
【０１９７】
また、実施の形態３では、さらに、指紋認証を行うようにしているので、より秘密保持性の高い電子機器５００を提供することができる。
【０１９８】
なお、以上では、アプリケーションプロセッサ２２０Ｂが、ステップＳ１４における文字認識と、ステップＳ１５における指紋認証の処理を行う形態について説明したが、アプリケーションプロセッサ２２０Ｂ以外の処理部がこれらの処理を行うようにしてもよい。
【０１９９】
なお、以上では、スリープモードの状態で新着確認用の操作入力が行われる形態について説明したが、スリープモードの状態であるか否かに拘わらず、ディスプレイパネル１６０が非表示の状態において新着確認用の操作入力を行うようにしてもよい。実施の形態３の電子機器５００では、スリープモードの状態、又は、スリープモードの状態であるか否かに拘わらずディスプレイパネル１６０が非表示の状態のように、省エネルギモードの状態で新着確認用の操作入力が行われればよい。
【０２００】
以上、本発明の例示的な実施の形態の電子機器について説明したが、本発明は、具体的に開示された実施の形態に限定されるものではなく、特許請求の範囲から逸脱することなく、種々の変形や変更が可能である。
以上の実施の形態に関し、さらに以下の付記を開示する。
（付記１）
筐体と、
前記筐体に取り付けられるディスプレイパネルと、
前記ディスプレイパネルの表示面側に配設されるタッチパネルと、
前記筐体、又は、前記タッチパネルに操作入力を行う操作面に振動を発生させる振動素子と、
前記ディスプレイパネルが非表示の状態、又は、スリープモードの状態で、前記タッチパネルへの操作入力の内容を判定する操作判定部と、
前記操作判定部によって新着情報確認用の所定の操作入力が行われたと判定されると、所定の新着情報があるかどうかを判定する新着判定部と、
前記新着判定部によって前記所定の新着情報があると判定されると、前記振動素子を所定のパターンで駆動する駆動制御部と
を含む、電子機器。
（付記２）
前記振動素子は、前記タッチパネルの前記操作面に振動を発生させる振動素子であり、
前記駆動制御部は、前記操作面に超音波帯の固有振動を発生させる駆動信号で前記振動素子を駆動する、付記１記載の電子機器。
（付記３）
前記駆動信号は、一定の周波数と一定の位相で前記操作面に超音波帯の固有振動を発生させる駆動信号である、付記２記載の電子機器。
（付記４）
前記振動素子は、前記筐体、又は、前記タッチパネルに操作入力を行う操作面に可聴域の周波数の振動を発生させる振動素子である、付記１記載の電子機器。
（付記５）
筐体と、
前記筐体に取り付けられるディスプレイパネルと、
前記筐体又は前記ディスプレイパネルに設けられるボタン式の操作部と、
前記筐体、又は、前記ディスプレイパネルに振動を発生させる振動素子と、
前記ディスプレイパネルが非表示の状態、又は、スリープモードの状態で、前記操作部への操作入力の内容を判定する操作判定部と、
前記操作判定部によって新着情報確認用の所定の操作入力が行われたと判定されると、所定の新着情報があるかどうかを判定する新着判定部と、
前記新着判定部によって前記所定の新着情報があると判定されると、前記振動素子を所定のパターンで駆動する駆動制御部と
を含む、電子機器。
（付記６）
前記振動素子は、前記筐体に可聴域の周波数の振動を発生させる振動素子である、付記５記載の電子機器。
（付記７）
指紋認証用の検出部と、
前記指紋認証用の検出部によって検出される指紋の認証を行う指紋認証判定部と
をさらに含み、
前記駆動制御部は、前記新着判定部によって前記所定の新着情報があると判定され、かつ、前記指紋認証判定部によって指紋の認証が成立した場合に、前記振動素子を所定のパターンで駆動する、付記１乃至６のいずれか一項記載の電子機器。
（付記８）
前記駆動制御部によって前記振動素子を所定のパターンで駆動された後に、着信音出力用の操作入力を受け付ける入力受付部と、
前記入力受付部によって前記着信音出力用の操作入力が受け付けられると、所定時間経過後に着信音の出力を行う、又は、前記駆動制御部に前記振動素子を駆動させる、着信制御部と
をさらに含む、付記１乃至７のいずれか一項記載の電子機器。
（付記９）
前記入力受付部は、加速度センサであり、
前記着信制御部は、前記加速度センサによって前記着信音出力用の操作入力が受け付けられると、所定時間経過後に着信音の出力を行う、又は、前記駆動制御部に前記振動素子を駆動させる、付記８記載の電子機器。
（付記１０）
前記入力受付部は、前記タッチパネルへの操作入力を受け付ける入力受付部である、付記８記載の電子機器。
（付記１１）
前記新着情報確認用の所定の操作入力は、利用者によって選択される、付記１乃至１０のいずれか一項記載の電子機器。
（付記１２）
前記振動素子を所定のパターンは、利用者によって選択される、付記１乃至１１のいずれか一項記載の電子機器。
【符号の説明】
【０２０１】
１００  電子機器
１１０  筐体
１２０  トップパネル
１３０  両面テープ
１４０Ａ  振動素子
１５０  タッチパネル
１６０  ディスプレイパネル
１７０  基板
２００  制御部
２２０  アプリケーションプロセッサ
２３０  通信プロセッサ
２４０  駆動制御部
２５０  操作判定部
２６０  新着判定部
２７０  メモリ
３１０  正弦波発生器
３２０  振幅変調器
【図１】
2015207242.tif 000005
【図２】
2015207242.tif 000006
【図３】
2015207242.tif 000007
【図５】
2015207242.tif 000008
【図６】
2015207242.tif 000009
【図７】
2015207242.tif 000010
【図８】
2015207242.tif 000011
【図９】
2015207242.tif 000012
【図１０】
2015207242.tif 000013
【図１１】
2015207242.tif 000014
【図１２】
2015207242.tif 000015
【図１３】
2015207242.tif 000016
【図１４】
2015207242.tif 000017
【図１５】
2015207242.tif 000018
【図１６】
2015207242.tif 000019
【図４】
2015207242.tif 000020